(57)【特許請求の範囲】
【請求項１】
隣接する函体の目地部の周囲を被覆するように配置されたＥＰＳブロックと、
前記ＥＰＳブロックを被覆するように配置されたジオテキスタイルとを備え、
前記ＥＰＳブロック及び前記ジオテキスタイルがワイヤによって前記目地部に固定されることを特徴とする樋門カラー構造体。
【請求項２】
前記ＥＰＳブロックが、発泡スチロール製のブロックを含むことを特徴とする請求項１に記載された樋門カラー構造体。
【請求項３】
前記周囲が、前記目地部の上面、下面及び両側面、又は、上面及び下面のいずれかであることを特徴とする請求項１又は２に記載された樋門カラー構造体。
【請求項４】
前記ＥＰＳブロック及び前記ジオテキスタイルの外側に、前記ＥＰＳブロックを被覆するための鋼板を更に備えることを特徴とする請求項１から請求項３までのいずれか１項に記載された樋門カラー構造体。
【請求項５】
樋門を形成する函体の目地部を施工する方法であって、
前記目地部が設置される箇所に、前記目地部の下面を被覆するためのジオテキスタイルを配置する工程と、
前記目地部の下面を被覆するためのＥＰＳブロックをジオテキスタイル上に配置する工程と、
函体を施工した後、前記目地部の側面及び上面にＥＰＳブロックを配置する工程と、
前記目地部の側面及び上面のＥＰＳブロックを被覆するようにジオテキスタイルを配置する工程と、
前記ＥＰＳブロック及び前記ジオテキスタイルを前記ワイヤで固定する工程と、
を含むことを特徴とする方法。
【請求項６】
前記ＥＰＳブロックが、発泡スチロール製のブロックを含むことを特徴とする請求項５に記載された方法。
【請求項７】
前記ＥＰＳブロック及び前記ジオテキスタイルの外側に鋼板を配置する工程をさらに含むことを特徴とする請求項５又は６に記載された方法。
【発明の詳細な説明】
【技術分野】
【０００１】
本発明は、樋門を形成する函体の目地部に配置される樋門カラー構造体、及びこのような樋門カラー構造体を使用して函体の目地部を施工する方法に関する。
【背景技術】
【０００２】
堤防を横断して設置される樋門を形成する函体は、温度応力によるクラックを防止するため、約１０ｍ毎に目地部が設置されている（図９参照）。一方、函体の不同沈下により生ずる函体の段差や漏水を防止するため、函体の目地部にはカラーが設置されている。従来の一般的なカラーは、目地部における段差の発生（上下方向の変位）を抑制しつつ、目地部の一定の挙動（水平方向の変位）を許容するため、約１０ｍ毎に設置された函体の目地部に２０ｍｍ厚の目地材を内蔵する４０ｃｍ厚のコンクリートで目地部周辺を囲むように構成されていた。
【発明の概要】
【発明が解決しようとする課題】
【０００３】
しかしながら、従来のカラーを用いた場合には、函体の端部に輪切りのクラックが発生しがちであるという不都合があった。函体の変位は、支持地盤強度や強度分布のバラツキ、作用荷重の変化、地震時挙動の違いなどの不確実性要因の組み合わせにより変化すると考えられる。その結果、函体相互の不同沈下に伴う段差や回転が発生するが、コンクリートカラーの場合、カラーによる拘束が生じ、そのため、輪切りクラックが発生すると推測される。また、従来の方法では、コンクリート施工を伴うため、カラーの規模に比較して、施工工期がかかりすぎるという不都合もあった。
【０００４】
本発明は、このような状況に鑑みて開発されたものであって、函体の端部にクラックが発生するのを防止するとともに、施工工期の短縮を可能とする樋門カラー構造体、及びこのような樋門カラー構造体を使用して函体の目地部を施工する方法を提供することを目的としている。
【課題を解決するための手段】
【０００５】
本願請求項１に記載された樋門カラー構造体は、隣接する函体の目地部の周囲を被覆するように配置されたＥＰＳブロックと、前記ＥＰＳブロックを被覆するように配置されたジオテキスタイルとを備え、前記ＥＰＳブロック及び前記ジオテキスタイルがワイヤによって前記目地部に固定されることを特徴とするものである。
【０００６】
本願請求項２に記載された樋門カラー構造体は、前記請求項１の樋門カラー構造体において、前記ＥＰＳブロックが、発泡スチロール製のブロックを含むことを特徴とするものである。
【０００７】
本願請求項３に記載された樋門カラー構造体は、前記請求項１又は２の樋門カラー構造体において、前記周囲が、前記目地部の上面、下面及び両側面、又は、上面及び下面のいずれかであることを特徴とするものである。
【０００８】
本願請求項４に記載された樋門カラー構造体は、前記請求項１から請求項３までのうちいずれか１項に記載された樋門カラー構造体において、前記ＥＰＳブロック及び前記ジオテキスタイルの外側に、前記ＥＰＳブロックを被覆するための鋼板を更に備えることを特徴とするものである。
【０００９】
本願請求項５に記載された函体の目地部を施工する方法は、前記目地部が設置される箇所に、前記目地部の下面を被覆するためのジオテキスタイルを配置する工程と、前記目地部の下面を被覆するためのＥＰＳブロックをジオテキスタイル上に配置する工程と、函体を施工した後、前記目地部の側面及び上面にＥＰＳブロックを配置する工程と、前記目地部の側面及び上面のＥＰＳブロックを被覆するようにジオテキスタイルを配置する工程と、前記ＥＰＳブロック及び前記ジオテキスタイルを前記ワイヤで固定する工程とを含むことを特徴とするものである。
【００１０】
本願請求項６に記載された函体の目地部を施工する方法は、前記請求項５の方法において、前記ＥＰＳブロックが、発泡スチロール製のブロックを含むことを特徴とするものである。
【００１１】
本願請求項７に記載された函体の目地部を施工する方法は、前記請求項５又は６の方法において、前記ＥＰＳブロック及び前記ジオテキスタイルの外側に鋼板を配置する工程をさらに含むことを特徴とするものである。
【発明の効果】
【００１２】
本発明によれば、比較的柔軟性のあるＥＰＳブロックによってカラー構造体を形成したことにより、カラーによる拘束力が抑制され、函体の端部におけるクラックの発生を防止することができる。また、本発明では、コンクリートカラーの施工に伴う種々の作業（型枠工、鉄筋工、コンクリート打設、脱型など）が不要になるため、施工工期を大幅に短縮することができる。
【図面の簡単な説明】
【００１３】
【図１】本発明の好ましい実施の形態に係る樋門カラー構造体を示した部分切り取り斜視図である。
【図２】図１の樋門カラー構造体の横断面図である。
【図３】図２の線３−３に沿って見た図である。
【図４】図１の樋門カラー構造体の一部を示した拡大斜視図である。
【図５】図５（ａ）は、図２の部分５ａの拡大図、図５（ｂ）は、図２の部分５ｂの拡大図、図５（ｃ）は、図２の部分５ｃの拡大図、図５（ｄ）は、底盤用固定鋼板の斜視図である。
【図６】ＥＰＳブロックの使用形態を示した図である。
【図７】鋼板を使用する例を示した拡大図である。
【図８】函体の目地部を施工する手順を示した一連の図である。
【図９】樋門の一例を示した全体図である。
【発明を実施するための形態】
【００１４】
次に図面を参照して、本発明の好ましい実施の形態に係る樋門カラー構造体について詳細に説明する。図１は、本発明の好ましい実施の形態に係る樋門カラー構造体を示した部分切り取り斜視図である。図１において全体として参照符号１０で示される樋門カラー構造体は、隣接する函体の目地部の周囲を被覆するように配置されたＥＰＳブロック１２を備えている。ここで、目地部の周囲とは、目地部の上面、下面、及び左右の側面を意味する。
【００１５】
ＥＰＳブロック１２は、狭義にはビーズ法ポリスチレンフォーム製のブロックを意味するが、本明細書では、例えば軽量盛土材として使用されているような、発泡スチロール製のブロックをも含むものとする。ＥＰＳブロック１２は、目地部を完全に被覆することができる程の所要の幅、及び、容易に破損しないような所要の厚みを有している。
【００１６】
なお、ＥＰＳブロック１２は、所要の厚みｗを有するブロックを使用してもよいし（図６（ａ））、複数枚の薄板状のＥＰＳ板を重ねて所要の厚みｗが得られるようにしてもよい（図６（ｂ））。
【００１７】
樋門カラー構造体１０は、ＥＰＳブロック１２を被覆するように配置されたジオテキスタイル１４と、ＥＰＳブロック１２及びジオテキスタイル１４を目地部に固定するためのワイヤ１６とを備えている。
【００１８】
ジオテキスタイル１４をＥＰＳブロック１２とワイヤ１６との間に配置することにより、ワイヤ１６がＥＰＳブロック１２に食い込んでＥＰＳブロック１２を傷つけるのを防止することができる。また、ＥＰＳブロック１２は、圧縮には強いが曲げや剪断力に弱いという特性を有するが、曲げや剪断力に強いジオテキスタイル１４を使用することにより、ＥＰＳブロック１２の弱点を補強することができる。
【００１９】
なお、ジオテキスタイル１４は、任意の種類のものを使用してよい。
【００２０】
図５（ａ）は、函体の下面に配置したＥＰＳブロック１２がワイヤ１６で固定されている状態を示した図である。函体の下面におけるＥＰＳブロック１２の固定には、底盤用固定鋼板１７を使用する。底盤用固定鋼板１７は、図５（ｄ）に示されるように、所定寸法の矩形の鋼板の四周を上方に折り曲げて舟型形状に形成したものであり、折り曲げ部にワイヤ固定用金具１７ａが取り付けられている。そして、底盤用固定鋼板１７上にＥＰＳブロック１２を配置し、ワイヤ１６の端部のシャックル１６ａをワイヤ固定用金具１７ａに連結することにより、ＥＰＳブロック１２を固定する。このようにして、函体の下面に底盤用固定鋼板１７を敷設することにより、段ずれ（せん断）によりＥＰＳブロック１２が破損することが防止される。図５（ｂ）は、函体の上面に配置したＥＰＳブロック１２がワイヤ１６で固定されている状態を示した図であり、ＥＰＳブロック１２の角部を傷つけないように、角部用固定金具１８が使用されている。図５（ｃ）は、函体の側面に配置したＥＰＳブロック１２がワイヤ１６で固定されている状態を示した図であり、ターンバックル１６ｂを使用してワイヤ１６が緊張される。なお、図５に示したワイヤの固定形態は一例にすぎず、ＥＰＳブロック１２（及びジオテキスタイル１４）を堅固に固定することができるのであれば、他の形態を使用してもよい。
【００２１】
次に図８を参照して、樋門カラー構造体１０を使用して、函体の目地部を施工する方法について説明する。まず、函体の目地部が設置される箇所に、函体の目地部の下面を被覆するための底盤用固定鋼板１７及びジオテキスタイル１４を配置（図８（ａ））した後、函体の目地部の下面を被覆するためのＥＰＳブロック１２をジオテキスタイル１４上に配置する（図８（ｂ））。次いで、函体を施工し（図８（ｃ））、型枠等を取り外した後、函体の目地部の側面及び上面にＥＰＳブロック１２を配置し（図８（ｄ））、函体の目地部の側面及び上面のＥＰＳブロック１２を被覆するようにジオテキスタイル１４を配置し（図８（ｅ））、ワイヤ１６で固定することによって目地部の施工が完了する（図８（ｆ））。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
たとえば、前記実施の形態では、ＥＰＳブロック１２がジオテキスタイル１４で被覆され、ワイヤ１６で固定されているが、ＥＰＳブロック１２の破損が想定される場合には、ＥＰＳブロック１２の破損を防止するため、想定箇所のＥＰＳブロック１２を鋼板２０で被覆するのが好ましい（図７参照）。
【００２４】
また、前記実施の形態では、函体の四周がＥＰＳブロック１２で被覆されているが、函体に生ずる主要な変位が上下方向のものであることを考慮すると、函体の上面と下面のみをＥＰＳブロック１２で被覆し、函体の側面をゴム材などで被覆するように構成してもよい。
【符号の説明】
【００２５】
１０  樋門カラー構造体
１２  ＥＰＳブロック
１４  ジオテキスタイル
１６  ワイヤ
１６ａ  シャックル
１６ｂ  ターンバックル
１７  底版用固定鋼板
１８  角部用固定金具
２０  鋼板
【図１】
0005885566.tif 000002
【図２】
0005885566.tif 000003
【図３】
0005885566.tif 000004
【図４】
0005885566.tif 000005
【図５】
0005885566.tif 000006
【図６】
0005885566.tif 000007
【図７】
0005885566.tif 000008
【図８】
0005885566.tif 000009
【図９】
0005885566.tif 000010